(57)【特許請求の範囲】
【請求項１】
天井を介して居室空間と天井裏空間とを形成する住宅の該天井に貫設される本体ケースと、上記天井裏空間内に配設してある給気ダクトに連通接続させるために本体ケース上部の側面から斜め上方に向けて延設された導入管に形成した給気導入口と、上記居室空間に向けて開口するように本体ケースに形成した給気放出口とを具備して成る住宅向け換気システム用の給気グリルであって、上記本体ケース内に、冷却部及び放熱部を有しており且つ該冷却部により空気中の水分を基に水を生成させる熱交換部と、該冷却部により生成された水を静電霧化させて帯電微粒子水を発生させる静電霧化部と、上記給気導入口から導入される空気を上記放熱部を成す放熱フィンに供給するために分流させる分流板と、上記分流板にて分流された空気を上記給気放出口の帯電微粒子水通過部分に向けて整流する整流板とを具備することを特徴とする住宅向け換気システム用の給気グリル。
【請求項２】
上記静電霧化部が、帯電微粒子水の放出方向を下方として本体ケース内の空間部の水平断面中央に配置されるものであり、且つ上記整流板が、本体ケース内の空間部のうち上記導入管及び上記給気導入口を形成してある側の半部とは逆側の半部に配置されるものであることを特徴とする請求項１に記載の住宅向け換気システム用の給気グリル。
【請求項３】
上記整流板が、上記分流板にて分流された空気を、その下流側にて上記給気放出口中央の上記帯電微粒子水通過部分に直接向かう流れに変えるとともに整流を行うことを特徴とする請求項１または２に記載の住宅向け換気システム用の給気グリル。
【請求項４】
本体ケース内の空間部のうち上記導入管及び上記給気導入口を形成してある側の半部とは逆側の半部において、上記導入管及び上記給気導入口と対向する部分に面取り状に形成される傾斜部を具備することを特徴とする請求項１〜３のいずれか１項に記載の住宅向け換気システム用の給気グリル。
【請求項５】
上記分流板にて分流された空気のうち、上記分流板の内側を通過する空気の流れは、上記分流板に当たることで上記分流板に沿って下方へと向きを変え、上記放熱フィンに直接当たって熱を奪った後に上記給気放出口から上記居室空間内へと放出され、上記分流板の外側を通過する空気の流れは、上記本体ケースの内面に当たることで該内面に沿って下方へと向きを変え、上記放熱フィンの側方を通過した後に上記給気放出口から上記居室空間内へと放出されることを特徴とする請求項１〜４のいずれか１項に記載の住宅向け換気システム用の給気グリル。
【請求項６】
天井を介して居室空間と天井裏空間とを形成する住宅の該天井に貫設される本体ケースと、上記天井裏空間内に配設してある給気ダクトに連通接続させるために本体ケース上部の側面から斜め上方に向けて延設された導入管に形成した給気導入口と、上記居室空間に向けて開口するように本体ケースに形成した給気放出口とを具備し、且つ上記本体ケース内に、冷却部及び放熱部を有しており且つ該冷却部により空気中の水分を基に水を生成させる熱交換部と、該冷却部により生成された水を静電霧化させて帯電微粒子水を発生させる静電霧化部と、上記給気導入口から導入される空気を上記放熱部を成す放熱フィンに供給するために分流させる分流板と、上記分流板にて分流された空気を上記給気放出口の帯電微粒子水通過部分に向けて整流する整流板とを具備して成る給気グリルを備えたことを特徴とする住宅向け換気システム。
【請求項７】
上記給気グリルの静電霧化部が、帯電微粒子水の放出方向を下方として本体ケース内の空間部の水平断面中央に配置されるものであり、且つ上記整流板が、本体ケース内の空間部のうち上記導入管及び上記給気導入口を形成してある側の半部とは逆側の半部に配置されるものであることを特徴とする請求項６に記載の住宅向け換気システム。
【請求項８】
上記整流板が、上記分流板にて分流された空気を、その下流側にて上記給気放出口中央の上記帯電微粒子水通過部分に直接向かう流れに変えるとともに整流を行うことを特徴とする請求項６または７に記載の住宅向け換気システム。
【請求項９】
本体ケース内の空間部のうち上記導入管及び上記給気導入口を形成してある側の半部とは逆側の半部において、上記導入管及び上記給気導入口と対向する部分に面取り状に形成される傾斜部を具備することを特徴とする請求項６〜８のいずれか１項に記載の住宅向け換気システム。
【請求項１０】
上記分流板にて分流された空気のうち、上記分流板の内側を通過する空気の流れは、上記分流板に当たることで上記分流板に沿って下方へと向きを変え、上記放熱フィンに直接当たって熱を奪った後に上記給気放出口から上記居室空間内へと放出され、上記分流板の外側を通過する空気の流れは、上記本体ケースの内面に当たることで該内面に沿って下方へと向きを変え、上記放熱フィンの側方を通過した後に上記給気放出口から上記居室空間内へと放出されることを特徴とする請求項６〜９のいずれか１項に記載の住宅向け換気システム。
【発明の詳細な説明】
【技術分野】
【０００１】
本発明は、住宅向け換気システムに用いられる給気グリル及びこれを用いた住宅向け換気システムに関するものである。
【背景技術】
【０００２】
近年、住宅が高気密化及び高断熱化されたことによって、室内で発生する揮発性有機化合物や一酸化炭素、二酸化炭素等の有害物質を屋外に排出して室内空気を正常に保つための換気システムを設置することが義務付けられるに至っている。
【０００３】
上記換気システムは、天井裏空間内に配設してあるダクトを通じて外部空気を居室空間内に取り込むと同時に、該居室空間内の空気を外部へと排出するものであり、流路中に配してある換気ファンを駆動させることで強制的に２４時間換気を行うようになっている。
【０００４】
ここで、居室空間内を浄化するためには上記の換気システムとは別に空気清浄装置を設置することが必要である。またこの手の空気清浄装置としては、静電霧化部が備えてあって該静電霧化部に供給される水を基に帯電微粒子水を放出するタイプのもの（特許文献１参照）を備えることが好適である。これは、上記の帯電微粒子水がナノメータサイズを含む小さな粒径であり且つ強い電荷を持つものであるから、互いの反発力により居室空間内において広範囲に長時間浮遊し、空間内に隅々にまで及ぶ高い脱臭効果や殺菌効果等の多様な効果が得られるといった利点があるからである。
【０００５】
ところがこのように住宅向け換気システムと、静電霧化部を有する空気清浄機とを別途設置して用いることは、設置スペースやコストの面で非効率である。また換気システムにより居室空間内に放出される空気の流れと、帯電微粒子水を運ぶために空気清浄機により放出される空気の流れが別々に形成されることから、帯電微粒子水を居室空間内に効率的に行き渡らせるという点でも好ましくない。
【特許文献１】特開２００３−７９７１４号公報
【発明の開示】
【発明が解決しようとする課題】
【０００６】
本発明は上記問題点に鑑みて発明したものであって、住宅向け換気システムの空気の流れを利用して居室空間内に向けて帯電微粒子水を放出させることが可能な給気グリル、及びこれを用いた住宅向け換気システムを、省スペース且つ低コストで設置可能なものとして提供することを課題とするものである。
【課題を解決するための手段】
【０００７】
上記課題を解決するために本発明を、天井１を介して居室空間２と天井裏空間３とを形成する住宅の該天井１に貫設される本体ケース１４と、上記天井裏空間３内に配設してある給気ダクト４に連通接続させるために本体ケース上部１４ａの側面から斜め上方に向けて延設された導入管１５に形成した給気導入口１６と、上記居室空間２に向けて開口するように本体ケース１４に形成した給気放出口１７とを具備して成る住宅向け換気システム用の給気グリル６であって、上記本体ケース１４内に、冷却部１８ａ及び放熱部１８ｂを有しており且つ該冷却部１８ａにより空気中の水分を基に水を生成させる熱交換部１８と、該冷却部１８ａにより生成された水を静電霧化させて帯電微粒子水を発生させる静電霧化部１９と、上記給気導入口１６から導入される空気を上記放熱部１８ｂを成す放熱フィン２３に供給するために分流させる分流板２７と、上記分流板２７にて分流された空気を上記給気放出口１７の帯電微粒子水通過部分に向けて整流する整流板２８とを具備することを特徴としたものとする。
【０００８】
このようにすることで、住宅向け換気システムの空気の流れを利用して居室空間２内に向けて帯電微粒子水を放出させることが可能な給気グリル６となり、省スペース且つ低コストで設置可能なものとして提供可能である。また、静電霧化用の水は空気中の水分を基に生成されるので、給水の手間が不要である。加えて、分流板２７により本体ケース１４内にて空気の流れが偏ることを防止し、放熱部１８ｂから効率的に放熱させることが可能であるから、上記給気導入口１６から導入される空気の向きが水平方向や斜め下方であっても問題なく効率的に放熱させることが可能である。
【０００９】
また、このようにすることで、帯電微粒子水の居室空間２内への放出量を最大化させることが可能である。
【００１０】
また、上記静電霧化部１９が、帯電微粒子水の放出方向を下方として本体ケース１４内の空間部の水平断面中央に配置されるものであり、且つ上記整流板２８が、本体ケース１４内の空間部のうち上記導入管１５及び上記給気導入口１６を形成してある側の半部Ｈ１とは逆側の半部Ｈ２に配置されるものであることも好適である。
また、上記整流板２８が、上記分流板２７にて分流された空気を、その下流側にて上記給気放出口１７中央の上記帯電微粒子水通過部分に直接向かう流れに変えるとともに整流を行うことも好適である。
また、本体ケース１４内の空間部のうち上記導入管１５及び上記給気導入口１６を形成してある側の半部Ｈ１とは逆側の半部Ｈ２において、上記導入管１５及び上記給気導入口１６と対向する部分に面取り状に形成される傾斜部２９を具備することも好適である。
また、上記分流板２７にて分流された空気のうち、上記分流板２７の内側を通過する空気の流れは、上記分流板２７に当たることで上記分流板２７に沿って下方へと向きを変え、上記放熱フィン２３に直接当たって熱を奪った後に上記給気放出口１７から上記居室空間２内へと放出され、上記分流板２７の外側を通過する空気の流れは、上記本体ケース１４の内面に当たることで該内面に沿って下方へと向きを変え、上記放熱フィン２３の側方を通過した後に上記給気放出口１７から上記居室空間２内へと放出されることも好適である。
【００１１】
また、上記課題を解決するために本発明を、天井１を介して居室空間２と天井裏空間３とを形成する住宅の該天井１に貫設される本体ケース１４と、上記天井裏空間３内に配設してある給気ダクト４に連通接続させるために本体ケース上部１４ａの側面から斜め上方に向けて延設された導入管１５に形成した給気導入口１６と、上記居室空間２に向けて開口するように本体ケース１４に形成した給気放出口１７とを具備し、且つ上記本体ケース１４内に、冷却部１８ａ及び放熱部１８ｂを有しており且つ該冷却部１８ａにより空気中の水分を基に水を生成させる熱交換部１８と、該冷却部１８ａにより生成された水を静電霧化させて帯電微粒子水を発生させる静電霧化部１９と、上記給気導入口１６から導入される空気を上記放熱部１８ｂを成す放熱フィン２３に供給するために分流させる分流板２７と、上記分流板２７にて分流された空気を上記給気放出口１７の帯電微粒子水通過部分に向けて整流する整流板２８とを具備して成る給気グリル６を備えたことを特徴とする住宅向け換気システムとする。
【００１２】
このような住宅向け換気システムとすることで、住宅向け換気システムの空気の流れを利用して居室空間２内に向けて給気グリル６から帯電微粒子水を放出させることが可能となり、省スペース且つ低コストで設置可能なものとして提供可能である。また、静電霧化用の水は空気中の水分を基に生成されるので、給水の手間が不要である。加えて、分流板２７により本体ケース１４内にて空気の流れが偏ることを防止し、放熱部１８ｂから効率的に放熱させることが可能であるから、上記給気導入口１６から導入される空気の向きが水平方向や斜め下方であっても問題なく効率的に放熱させることが可能である。
【００１３】
また、このような住宅向け換気システムとすることで、帯電微粒子水の居室空間２内への放出量を最大化させることが可能である。
【００１４】
また、上記給気グリル６の静電霧化部１９が、帯電微粒子水の放出方向を下方として本体ケース１４内の空間部の水平断面中央に配置されるものであり、且つ上記整流板２８が、本体ケース１４内の空間部のうち上記導入管１５及び上記給気導入口１６を形成してある側の半部Ｈ１とは逆側の半部Ｈ２に配置されるものであることも好適である。
また、上記整流板２８が、上記分流板２７にて分流された空気を、その下流側にて上記給気放出口１７中央の上記帯電微粒子水通過部分に直接向かう流れに変えるとともに整流を行うことも好適である。
また、本体ケース１４内の空間部のうち上記導入管１５及び上記給気導入口１６を形成してある側の半部Ｈ１とは逆側の半部Ｈ２において、上記導入管１５及び上記給気導入口１６と対向する部分に面取り状に形成される傾斜部２９を具備することも好適である。
また、上記分流板２７にて分流された空気のうち、上記分流板２７の内側を通過する空気の流れは、上記分流板２７に当たることで上記分流板２７に沿って下方へと向きを変え、上記放熱フィン２３に直接当たって熱を奪った後に上記給気放出口１７から上記居室空間２内へと放出され、上記分流板２７の外側を通過する空気の流れは、上記本体ケース１４の内面に当たることで該内面に沿って下方へと向きを変え、上記放熱フィン２３の側方を通過した後に上記給気放出口１７から上記居室空間２内へと放出されることも好適である。
【発明の効果】
【００１５】
本発明は、住宅向け換気システムの空気の流れを利用して居室空間内に向けて帯電微粒子水を放出させることが可能な給気グリル、及びこれを用いた住宅向け換気システムを、省スペース且つ低コストで設置可能なものとして提供することができるという効果を奏する。
【発明を実施するための最良の形態】
【００１６】
以下、本発明を添付図面に示す実施形態に基づいて説明する。図６〜図８には、本発明の実施形態における一例の給気グリル６を用いた住宅向け換気システムを示している。
【００１７】
上記換気システムは、天井１を介して居室空間２と天井裏空間３とが形成される住宅の該天井裏空間３を利用したものであり、該天井裏空間３内に配設される給気ダクト４の一端側を屋外に設置してある外気給気グリル５に連通接続させるとともに、天井１に居室空間２側から貫設してある給気グリル６に上記給気ダクト４の他端側を連通接続させている。また、同じく天井裏空間３内に配設される排気ダクト７の一端側を、屋外に設置してある外気排気グリル８に連通接続させるとともに、天井１に居室空間２側から貫設してある排気グリル９に上記排気ダクト７の他端側を連通接続させている。
【００１８】
上記給気ダクト４は下流側へと向けて分岐管部１０等を介して多数分岐させており、各分岐ダクトの下流端にそれぞれ給気グリル６を接続させている。また給気ダクト４及び排気ダクト７の流路途中には、両ダクト４，７間の熱交換を行う熱交換器１１を介在させている。この熱交換器１１内には、両ダクト４，７内の空気の流れを作り出す換気ファン（図示せず）を配しており、この換気ファンを駆動させることで、外気給気グリル５から吸入された外気が給気ダクト４内を通り、給気グリル６から下方の居室空間２内に送り込まれるとともに、居室空間２内の空気が排気グリル９から排気ダクト７を通って外気排気グリル８から屋外へと排出されるといった空気循環が継続的に為されるものである。
【００１９】
図７には、各居室空間２の天井１に給気グリル６を装着するとともに、該居室空間２とドア４０を介して隣接するホールや廊下等の通路空間４１の天井１に排気グリル９を装着した例を示している。この場合には、給気グリル６から居室空間２内に送り込まれた空気はドア４０下部に形成したスリット（図示せず）や、ドア４０と床面４２との間の隙間を通じて通路空間４１側に送り出された後に、通路空間４１の排気グリル９から排気ダクト７を通って屋外に排出される。
【００２０】
また図８には、各居室空間２の天井１に給気グリル６及び排気グリル９を装着した例を示している。この場合には、給気グリル６から居室空間２内に送り込まれた空気は該居室空間２内にて循環した後に、排気グリル９から排気ダクト７を通って屋外に排出される。
【００２１】
なお、上記熱交換器１１の代わりに単に換気ファンを配してあっても構わない。上記換気ファンは、換気システム中において給気ダクト４と排気ダクト７のうち少なくとも一方に配してあればよい。符号１２はフィルタであって、給気ダクト４中の外気給気グリル５と熱交換器１１との間に介在させてある。
【００２２】
次に、本例の給気グリル６について図１〜図５に基づいて詳細に説明する。なお、本文中に用いる上下等の各方向は給気グリル６の天井１への装着状態を基準とする。上記給気グリル６は図５に示すように、天井１に貫設してある取付孔１３内に居室空間２側から装着するものであり、その外殻を成す本体ケース１４内の空間部に後述の熱交換部１８や静電霧化部１９を配置することで主体を形成している。
【００２３】
上記本体ケース１４は、円筒型の箱型を成すとともにそのケース上部１４ａの側面から斜め上方に向けて導入管１５を延設し、該導入管１５の先端に給気導入口１６を開口させている。また上記本体ケース１４のケース下部１４ｂにあっては、その下面中央に給気放出口１７を開口させてある。上記給気導入口１６は、天井裏空間３内に配設してある給気ダクト４と連通接続させるために斜め上方に向けて開口したものである。また上記給気放出口１７は、居室空間２と連通するように下方に向けて開口したものである。
【００２４】
上記熱交換部１８と上記静電霧化部１９とは、両者１８，１９が一体となって静電霧化装置２０を形成するものであり、この静電霧化装置２０を、本体ケース１４内の空間部の水平断面中央に位置するように該本体ケース１４に固定させている。
【００２５】
上記熱交換部１８は通電により冷却側及び放熱側を形成するペルチェユニット２１を用いたものであり、該ペルチェユニット２１の冷却側に備えた冷却板２２が上記熱交換部１８の冷却部１８ａを成し、該ペルチェユニット２１の放熱側に備えた放熱フィン２３が上記熱交換部１８の放熱部１８ｂを成している。上記熱交換部１８は、放熱部１８ｂが上方に位置して冷却部１８ａが下方に位置するような姿勢で固定され、上記冷却部１８ａからは下方に向けて細長柱状の放電極２４が突設されている。またペルチェユニット２１を覆うように放熱フィン２３に固定される枠体２５の下端には、放電極２４の下方にて該放電極２４と所定距離を隔てて対向する位置にリング状の対向電極２６を固定させてある。この放電極２４と対向電極２６との間には、高電圧印加手段（図示せず）により高電圧が印加されるようになっている。上記静電霧化部１９は、この放電極２４、枠体２５、対向電極２６、高電圧印加手段により主体が形成されるものである。
【００２６】
したがって、上記構成から成る静電霧化装置２０にあっては、電圧印加手段（図示せず）によりペルチェユニット２１に通電を行うことで冷却部１８ａを介して放電極２４を冷却し、空気中の水分を基にして放電極２４上に結露水を直接生成させることができる。そして放電極２４上に水が保持される状態で放電極２４と対向電極２６との間に高電圧を印加することで、放電極２４上の水を該放電極２４の先端にて静電霧化させて帯電微粒子水を発生させる。ここで発生した帯電微粒子水は、対向電極２６の中央孔を通過して下方に向けて放出され、本体ケース１４の給気放出口１７を通じて居室空間２内に放出、拡散されることとなる。
【００２７】
ここで、本例の給気グリル６の本体ケース１４内には、給気導入口１６及び導入管１５内を通って斜め下方に向けて導入された空気を二手に分岐させ、分岐した一方の空気の流れを放熱フィン２３にまで確実に供給させるための分流板２７を、放熱フィン２３の上方に設けている。上記分流板２７は、導入管１５の軸線上に位置する平板状の上流側分流板部２７ａと、該上流側分流板部２７ａの下流端から下方に向けて延設される同じく平板状の下流側分流板部２７ｂとで、断面く字状に屈折した形状を成すものである。
【００２８】
上記分流板２７により二手に分流される空気のうち、く字状に屈折する分流板２７の内側を通過する空気の流れ（図中の矢印Ａ）は該分流板２７に当たることで分流板２７に沿って下方へと向きを変え、放熱フィン２３に直接当たって熱を奪った後に給気放出口１７から居室空間２内へと放出される。また、く字状に屈折する分流板２７の外側を通過する空気の流れ（図中の矢印Ｂ）は、本体ケース１４の内面に当たることで該内面に沿って下方へと向きを変え、放熱フィン２３の側方を通過した後に同じく給気放出口１７から居室空間２内へと放出される構造である。
【００２９】
更に本体ケース１４内には、上記分流板２７にて分流された空気を、その下流側にて給気放出口１７中央の帯電微粒子水が通過する部分（即ち静電霧化部１９の真下部分）に直接向かう流れに変えるとともに整流を行う整流板２８を備えている。本例の整流板２８は、本体ケース１４内の空間部のうち上記導入管１５及び給気導入口１６を形成してある側の半部Ｈ１とは逆側の半部Ｈ２に配置されるものであり、分流板２７により二手に分流される空気の流れのうち、分流板２７の外側を通過する空気の流れ（図中の矢印Ｂ）と当たってこれの向きを変えるように配置している。
【００３０】
なお、本体ケース１４の半部Ｈ２側において、半部Ｈ１側の導入管１５及び給気導入口１６と対向する部分に面取り状に形成される傾斜部２９は、その内面側が、分流板２７の外側を通過する空気の流れ（図中の矢印Ｂ）が当たって向きを変えるように機能すると同時に、給気グリル６の天井１への装着時には本体ケース１４を逃がす部分としても機能するものである。
【００３１】
即ち、図５に示すようにこの給気グリル６を天井１に装着するにあたっては、まず居室空間２内にまで取付孔１３を通じて給気ダクト４の下流端側を引き出し、居室空間２内において、本体ケース１４から側方に突出する導入管１５に給気ダクト４を接続させる。そして本体ケース１４を倒した状態で給気ダクト４を天井裏空間３側に戻し、本体ケース１４を起すように回転させながら該本体ケース１４を取付孔１３内に通していくのだが、本体ケース１４に上記傾斜部２９を設けてあることで取付孔１３の開口縁に引っ掛ることなく円滑に貫設されるものである。
【００３２】
なお、本体ケース１４のケース下部１４ｂ外側面から延設されるフランンジ部３０は、図５（ｄ）に示すように天井１の下面側から本体ケース１４を固着するためのものである。また図５に示すコネクタ部３１は、給気グリル６側に固定されるコネクタ３１ａと給気ダクト４側に固定されるコネクタ３１ｂとを電気的に接続させることで、給気グリル６側の熱交換部１８や静電霧化部１９にまで電力を供給するものである。
【００３３】
しかして上記構成の給気ダクト６を用いた住宅向け換気システムとすることで、本体ケース１４内には、換気システムの給気ダクト４を通じて給気導入口１６から絶えず空気が導入され、給気放出口１７から居室空間２内へと吐出される。ここで、本体ケース１４内の静電霧化装置２０に一体に備えてある熱交換部１８と静電霧化部１９に電力を供給してこれらを駆動させれば、上述した如く空気中の水分を基に生成した水から静電霧化により帯電微粒子水を発生させ、この帯電微粒子水を給気放出口１７の中央部分から居室空間２内へと放出する。即ち上記給気グリル６を用いることで、静電霧化装置を備えた空気清浄装置を別途備える必要なく、換気システムによる空気の流れを利用して居室空間２内に広く帯電微粒子水を行き渡らせることが可能となる。
【００３４】
しかも、静電霧化部１９への水の供給は熱交換器１１を用いた冷却手段により自動的に行われるので、天井１に装着してある本体ケース１４を一旦取り外す等して給水するといった面倒な手間は不要である。また換気システムによる空気の流れによって放電極２４近傍には新鮮な空気が絶えず供給されるので十分な量の水を継続的に生成可能であるとともに、この換気システムにより本体ケース１４内に送り込まれる空気によって放熱部１８ｂから継続的に且つ効率的に放熱させることが可能である。
【００３５】
ここで、給気ダクト４が配設される天井裏空間３は上下幅の狭い空間であることから、給気ダクト４と連通接続させる導入管１５は上方に突出させることが困難であり、このため上述の如く本体ケース１４の側面から斜め上方に向けて突出させてある。したがって給気ダクト４から供給される空気は本体ケース１４内に斜め下方に向けて導入されるのだが、本体ケース１４内に上記分流板２７を配してあることで、空気の流れが偏ることを防止して放熱部１８ｂに効率的に当てることが可能になっている。
【００３６】
加えて、上記分流板２７の下流側に整流板２８を配してあることで、静電霧化部１９から下方に向けて放出される帯電微粒子水は整流板２８により整流された空気の流れに乗って居室空間２内に勢い良く放出される。これにより、帯電微粒子水の居室空間２内へと放出量は最大化されるものである。
【００３７】
なお、空気中の水分を基に水を生成するための手段としては、本例のような放電極２４上に直接結露水を生成させる手段に限定されず、例えば冷却部１８ａにより冷却されて結露水を生成するため部材を別に備えてあって該部材上で生成された結露水を、多孔質材料から成る放電極２４自身の毛細管現象により先端部にまで搬送する等の、他の手段であっても構わない。
【００３８】
また、導入管１５の突設方向及び給気導入口１６の開口方向も斜め上方に限定されるものではない。つまり導入管１５は水平乃至斜め上方に向けて突設させてあればよく、また導入管１５先端の給気導入口１６は水平乃至斜め上方に開口させてあればよい。
【００３９】
上記給気グリル６を用いた住宅向け換気システムは図６〜図８に示す構成に限定されるものではなく、天井裏空間３に配設されて外気を引き込む給気ダクト４と、この給気ダクト４の下流端に連通接続される上記給気グリル６とを具備するものであれば同様の効果が得られることは勿論である。
【図面の簡単な説明】
【００４０】
【図１】本発明の実施形態における一例の給気グリルの側断面図である。
【図２】同上の給気グリルの断面形状を説明する斜視図である。
【図３】同上の給気グリルの斜視図である。
【図４】同上の給気グリルの下面図である。
【図５】（ａ）〜（ｄ）は同上の給気グリルの天井への装着を示す説明図である。
【図６】同上の給気グリルを用いた住宅向け換気システムの主要部を示す説明図である。
【図７】同上の住宅向け換気システムの設置例を示す説明図である。
【図８】同上の住宅向け換気システムの他の設置例を示す説明図である。
【符号の説明】
【００４１】
１  天井
２  居室空間
３  天井裏空間
４  給気ダクト
６  給気グリル
１４  本体ケース
１６  給気導入口
１７  給気放出口
１８  熱交換部
１８ａ  冷却部
１８ｂ  放熱部
１９  静電霧化部
２７  分流板
２８  整流板
Ｈ１  半部
Ｈ２  半部
【図１】
0004844234.tif 000002
【図２】
0004844234.tif 000003
【図３】
0004844234.tif 000004
【図４】
0004844234.tif 000005
【図５】
0004844234.tif 000006
【図６】
0004844234.tif 000007
【図７】
0004844234.tif 000008
【図８】
0004844234.tif 000009